(57)【要約】【課題】この発明は、剣道具の装着を容易、確実にすることを目的としたものである。【解決手段】  打撃部を備えた胸部及び胴部覆いと、垂れを備えた腰部覆いとを着脱自在に連結し、前記胸部及び胴部覆いに装着ベルトを具備したことを特徴とする剣道具により上記課題を解決した。【選択図】図１
2013165825.tif 000002
【特許請求の範囲】
【請求項１】
打撃部を備えた胸部及び胴部覆いと、垂れを備えた腰部覆いとを着脱自在に連結し、前記胸部及び胴部覆いに装着ベルトを具備したことを特徴とする剣道具。
【請求項２】
打撃部に竹片を固定したことを特徴とする請求項１記載の剣道具。
【請求項３】
竹片は左右胴部に位置させたことを特徴とする請求項２記載の剣道具。
【請求項４】
竹片は打撃部に並列設置したことを特徴とする請求項２記載の剣道具。
【請求項５】
装着ベルトは、端部に挿入掛止する掛止具を具備したことを特徴とする請求項１記載の剣道具。
【請求項６】
胴部覆いと腰部覆いは、ファスナーで連結したことを特徴とする請求項１記載の剣道具。
【発明の詳細な説明】
【技術分野】
【０００１】
この発明は、剣道の練習をする際に着用する剣道具に関する。
【背景技術】
【０００２】
従来、剣道の練習の際、胸部、腹部及び腰部の保護として、防具胴、防具垂を装着するが、前記防具胴と防具垂は別々になっているので、それぞれ紐で身体へ装着する。このような装着に慣れない場合には、バランスの取れた正確な装着が難しい。特に子供の場合には、装着不良のために練習中に防具がずれ落ちたり、正確な位置を保持できないために竹刀が防具のない所に当たり、けがをするおそれがあった。
【０００３】
また、装着用の紐の結び方が難しく、試合中に紐がほどけるおそれがあり防具が外れるおそれがあった。さらに、装着が緊密すぎたために取り外しに苦労する場合もあった。
【先行技術文献】
【特許文献】
【０００４】
【特許文献１】特表２００７−５２０２５１
【特許文献２】実用新案登録第３１２１３４号公報
【発明の概要】
【発明が解決しようとする課題】
【０００５】
従来使用されている剣道防具は、胴台と垂れとに分離されており、それぞれの防具を紐により身体へ縛着するものであった。
【０００６】
従って、紐の結び方、防具相互の対応関係が不十分の場合には、装着者の動作に支障をきたすおそれがあり、防具相互の間隙部に竹刀が当たるおそれがあった。
【課題を解決するための手段】
【０００７】
この発明は、胴台に垂れを着脱自在に連結することにより、前記従来の問題点を解決したのである。
【０００８】
前記胴台と垂れとは形状はもとより、材質及び製造工程が異なるので、従来は別々に製造され、完成衣を縫着して販売されていた。また、紐長は体格によって必要長さ異なるので最大必要長さの紐を取り付けて販売されていた。
【０００９】
この発明は、剣道具の胴台に垂れを着脱自在に取り付けて構成し、紐に代えてベルト端に着脱具を固定することにより、製造及び装着容易な剣道具を得ることに成功したのである。
【００１０】
即ち、この発明は、強靭な矩形の二枚の織布の間に芯材を入れて縫着した支持帯に。大垂れと小垂れの上部を一部重ねて交互に縫着し、垂れを構成した。
【００１１】
また、強靭な二枚の矩形織布に芯材を入れて縫着した胴台の表面に、打撃受け用の矩形竹片を複数枚並列固定した打撃受けを添接固着し、前記胴台の上部に胸部覆材を連設し、前記胴台の下部に前記垂れを着脱自在に連設し、前記胸部覆材に着脱具を固定してこの発明の剣道具を構成した。
【００１２】
前記胴台と垂れはファスナーにより着脱自在に連結したが、その他の手段として、例えば面ファスナーにより着脱自在とすることを妨げない。即ち、胴台と垂れとを堅固確実に連結するものであれば、その手段に制限はない。
【００１３】
前記面ファスナーとは、一面に多数のループ線材を植設した布片と、一面に前記ループに係止する多数の鉤線材を植設した布片とよりなる周知のファスナーをいうものであって、周知の材料を使用する。
【００１４】
この発明は、垂れ部と胴部とを着脱自在とした点及び紐の結着を着脱を容易にして点が改良点であって、前記により初心者及び子供でも容易、確実に装着できるように工夫したものである。従って、その他の各部の形状、構造は従来公知のものをすべて採用することができる。
【発明の効果】
【００１５】
この発明によれば、初心者及び子供でも容易かつ確実に防具を装着できる効果がある。
【００１６】
また、製造に際し、取扱いが容易であって、多量製産に適する効果がある。
【図面の簡単な説明】
【００１７】
【図１】この発明の実施例の一部を省略した正面図。
【図２】同じく背面図。
【図３】同じく一部を省略した正面図。
【図４】（ａ）同じく側面図、（ｂ）同じく嵌装具の解放状態の一部拡大図、（ｃ）同じく嵌装状態の一部拡大図。
【図５】同じく装着状態の正面図。
【発明を実施するための形態】
【００１８】
この発明は、胴に相当する部分に複数の竹片を配置して、主たる被打撃部を形成し、この被打撃部を基準にして、上は胸当て、下は垂れとしたものである。前記垂れの上部は打撃部でファスナーにより着脱自在に連結してある。
【００１９】
前記胸当て、腰部覆いは何れも二枚の強靭な織布の間に薄い芯材（例えば厚さ８ｍｍのウレタン）を入れて四周を縫着し、恰も一枚板のように構成しているが、表裏は前記のように織布であって、恰も衣服の一部の如くなじみやすくしてある。前記覆いの材質について特に限定はない。
【００２０】
前記芯材は保形性と弾性を備えており、織布と相まって型崩れしない強靭な板状からなっている。
【００２１】
前記竹片は、例えば長さ８０ｍｍ、巾２５ｍｍ、厚さ５ｍｍであって、打撃により快音を発するが、変形なく打撃を全面で打ち止めるので、竹刀で強打されても痛痒を感じるおそれはない。また、竹片の寸法は前記に限定するものではない。
【実施例１】
【００２２】
この発明の実施例を図１、２、３に基づいて説明する。二枚の矩形織布の間に芯材を入れて四周を縫着してなる支持帯１に大小の矩形垂れ２、３の上部を縫着する。矩形垂れ２、３は下端両側を面取りして台形状にする。
【００２３】
帯状部４ａの下縁と支持帯１の上縁とはファスナー１６により着脱自在に連結されている。従って、胴部４と大小の垂れを固定した支持帯１とは、ファスナー１６によって連結されており、容易に着脱することができる。胴部４と支持帯１とはファスナー１６によって連結された後、使用者の身体に装着される。
【００２４】
次に、胴部４の帯状部４ａの上部中央を山状４ｂに立ち上げて全体を胴部４とし、帯状部４ａの前面に強靭な二枚の矩形布に芯材を入れた取り付け布５、５に、矩形の竹片６、６を縦に並列固定する。図中７、７は竹片６、６の固定用帯紐、１４は縫着糸である。
【００２５】
竹片６、６は衝撃受けであって、竹刀により打撃する場所を示しており、この竹片６、６を打撃すれば正しい打撃をしたことを示し、かつ身体への衝撃は緩和される。
【００２６】
取り付け布５、５の両外側方には、装着ベルト８、８ａ、９、９ａの基部がそれぞれ固定してある。装着ベルト８、９の端部には挿入掛止片１０、１０が固定され、装着ベルト８ａ、９ａの端部には嵌装具１１、１１が固定されている。
【００２７】
挿入掛止片１０の突片１２の段部１２ａが嵌装具１１の段部１１ａと掛止して、掛止片１０と嵌装具１１とが挿入掛止される。従って図４（ｂ）中、矢示１３、１３のように外力を加えて突片１２を互いに近接させれば、突片１２と嵌装具１１との掛止を解除することができる。図中１５は案内である。
【００２８】
この発明は、本実施例の構造に限定されるものではないが、装着と解除を簡単かつ容易にすることは必要不可欠であり、簡易に使用するための必須要件である。
【符号の説明】
【００２９】
１  支持帯
２、３  矩形垂れ
４  胴部
５  取り付け布
６  竹片
７  帯紐
８、９  装着ベルト
１０  掛止片
１１  嵌装具
【図１】
2013165825.tif 000003
【図２】
2013165825.tif 000004
【図３】
2013165825.tif 000005
【図４】
2013165825.tif 000006
【図５】
2013165825.tif 000007